(57)【要約】【課題】スクリーンの交換が容易で、スクリーン装置を取り外すことなく設置箇所においてスクリーンの交換が可能なスクリーン装置を提供すること。【解決手段】スクリーン２がスクリーン取付枠部１から取外自在とされ、スクリーンを長さ方向に複数箇所で貫通するスクリーン張力部材１５のスクリーンから引き出された一端に第１のコネクタ３１が配設され、スライドガイド枠部２の自由端付近に一端が連結され、スクリーン取付側に引き出されたジャンプ部材３２の他端に第２のコネクタ３４が配設され、第１のコネクタと第２のコネクタとは着脱自在であり、スライドガイド枠部がスクリーン取付枠部内から引き出された状態において、スクリーンの交換が可能となっている。【選択図】図１
2008002212.tif 000002
【特許請求の範囲】
【請求項１】
対向配置された、少なくとも一方がスライド移動可能な一対のスクリーン取付枠部に、スクリーンが、両スクリーン取付枠部間に収縮および展開自在として取り付けられ、スクリーン取付枠部への取付側でないスクリーンの両端部付近にスライドガイド枠部が一対配設され、スライドガイド枠部は、対向配置された一対の側壁部とこれを相互に繋ぐ架橋部とを有する剛性ユニットが隣接間で回動自在に連設されて形成され、スライドガイド枠部は、屈曲性を有し、少なくとも一端が自由端とされてスクリーン取付枠部内に収納および引出可能とされる一方、スクリーン取付枠部のスライド移動にともなってスクリーン取付枠部内から引き出された時に、スライドガイド枠部の引き出された部分は直線性を保持し、かつ一対のスライドガイド枠部の自由端が、スクリーン取付枠部内に設けられた８の字状のループを形成するスライドガイド枠部張力部材により相互に連結され、スライドガイド枠部張力部材の折返点がスクリーン取付側と反対側に配置されているスクリーン装置において、スクリーンがスクリーン取付枠部から取外自在とされ、スクリーンを長さ方向に複数箇所で貫通するスクリーン張力部材のスクリーンから引き出された一端に第１のコネクタが配設され、スライドガイド枠部の自由端付近に一端が連結され、スクリーン取付側に引き出されたジャンプ部材の他端に第２のコネクタが配設され、第１のコネクタと第２のコネクタとは着脱自在であり、スライドガイド枠部がスクリーン取付枠部内から引き出された状態において、スクリーンの交換が可能となっていることを特徴とするスクリーン装置。
【請求項２】
スクリーンのスクリーン取付枠部への取付部に第１の折返部が設けられ、スクリーン張力部材が第１の折返部に掛け回され、方向転換し、スクリーン取付枠部のスクリーン取付側に第２の折返部が設けられ、ジャンプ部材が第２の折返部に掛け回され、方向転換し、結合した第１および第２のコネクタが第１および第２の折返部間で移動可能となっていることを特徴とする請求項１に記載のスクリーン装置。
【請求項３】
第１の折返部が一箇所に設けられ、複数本のスクリーン張力部材のすべてが第１の折返部に向かって折り曲げられ、第１の折返部に掛け回されていることを特徴とする請求項２に記載のスクリーン装置。
【請求項４】
第１の折返部は、取付高さを調節自在とされてスクリーンのスクリーン取付枠部への取付部に固定され、スクリーンと一体となっていることを特徴とする請求項２または３に記載のスクリーン装置。
【発明の詳細な説明】
【技術分野】
【０００１】
本発明は、汚れたり破れたりなどした際のスクリーンの交換が可能なスクリーン装置に関する。
【背景技術】
【０００２】
カーテン、ブラインドなどの遮光および調光手段や網戸、間仕切りなどとして使用する際の設置の制約を解消し、また、優れた操作性とスクリーンの形状安定性を実現する装置として、本出願人は、図７および図８に示したようなスクリーン装置を提供している（特許文献１）。
【０００３】
このスクリーン装置は、対向配置された、少なくとも一方がスライド移動可能な一対のスクリーン取付枠部１を備え、両スクリーン取付枠部１にスクリーン２が、両スクリーン取付枠部１間に収縮および展開自在とされて取り付けられている。スクリーン２は、布、ネット、シートなどから形成され、スクリーン取付枠部１の少なくとも一方のスライド移動にともなって収縮および展開する。スクリーン２には、プリーツが複数付けられたものが好ましく適用される。
【０００４】
また、スクリーン装置は、スクリーン取付枠部１への取付側でないスクリーン２の端部の少なくとも一方の近くに、スクリーン取付枠部１のスライド移動をガイドするスライドガイド枠部３を備えている。スライドガイド枠部３は、剛性ユニット４が連設されて形成されている。剛性ユニット４は、図９に示したように、対向配置された一対の側壁部５と両側壁部５を相互に繋ぐ架橋部６とを有している。剛性ユニット４は、たとえば、側壁部５の一端部側に外側に突出する突起７を、また、突起７に係合可能な貫通穴８を他端部側に備えることができ、隣接する剛性ユニット４間において突起７を貫通穴８に側壁部５の裏面側より嵌め込むことにより剛性ユニット４は連設可能となる。たとえばこのような剛性ユニット４から形成されるスライドガイド枠部３は、剛性ユニット４が隣接間で回動自在となるため、スライドガイド枠部３は屈曲性を有する。また、スライドガイド枠部３は、図８に示したように、少なくとも一端が自由端３ａとなっており、スクリーン取付枠部１内への収納および引出しが可能になっている。
【０００５】
その一方で、スライドガイド枠部３は、スクリーン取付枠部１のスライド移動にともなってスクリーン取付枠部１内から引き出された時には、引き出された部分は直線性を保持するようになっている。この直線性の保持のために、たとえば、剛性ユニット４には、架橋部６の一端縁部に表面を切り欠いて段差９を、他端縁部には裏面を切り欠き、段差１０を設けることができる。スライドガイド枠部３の直線性の保持は、隣接する剛性ユニット４間において段差１０が段差９の上に重なり合う時に剛性ユニット４の回動が制止されることにより実現される。また、剛性ユニット４には、側壁部５に、小突起１１を外側に向けて突設し、小突起１１を受け入れ可能とした略三日月状の長穴１２を形成することもできる。この場合には、隣接する剛性ユニット４間において小突起１１を長穴１２に差し込み、長穴１２の一端に小突起１１が接触する時に剛性ユニット４の回動が制止され、スライドガイド枠部３の直線性が保持される。
【０００６】
このようなスクリーン装置では、スクリーン取付枠部１のスライド移動をガイドするスライドガイド枠部３が、スクリーン取付枠部１のスライド移動にともなってスクリーン取付枠部１内から引き出され、また、収納されるため、スライドガイド枠部３は常に定位置にある固定枠ではない。これが、カーテン、ブラインド等の遮光および調光手段や網戸、間仕切りなどとして使用する際の設置の制約を解消する。また、スライドガイド枠部３は、剛性ユニット４から形成されるため、剛性と屈曲性をバランスよく合わせ持っており、優れた操作性とスクリーン２の形状安定性を実現する。
【０００７】
さらに、スクリーン装置では、図１０に示したように、一対のスライドガイド枠部３の自由端３ａが、スクリーン取付枠部１内に設けられた８の字状のループを形成するスライドガイド枠部張力部材１３により相互に連結され、スライドガイド枠部張力部材１３の折返点１４がスクリーン２の取付側と反対側に配置されている。スライドガイド枠部張力部材１３には、たとえば紐、ワイヤーなどが使用される。
【０００８】
このようなスライドガイド枠部張力部材１３および折返点１４によって、一対のスライドガイド枠部３の移動量がほぼ等しくなり、スクリーン取付枠部１のスムーズな平行移動が確実に実現される。
【０００９】
なお、図１０に示したスクリーン装置は、スライドガイド枠部３の自由端３ａと反対側は固定端３ｂとされ、スクリーン取付枠部１に固定されているが、スライドガイド枠部３は両端を自由端３ａとすることができ、その場合には、一対のスクリーン取付枠部１の両方の内部に８の字状ループを形成するスライドガイド枠部張力部材１３を設け、スライドガイド枠部３の自由端３ａに連結して折返点１４をスクリーン２の取付側と反対側に配置する。
【特許文献１】特許第３３２３４６１号
【発明の開示】
【発明が解決しようとする課題】
【００１０】
以上のスクリーン装置では、図１１に示したように、スクリーン２を支持して自立性を確保し、また、スクリーン２の面強度を高めるなどの目的で、紐、ワイヤーなどのスクリーン張力部材１５を、スクリーン２を長さ方向に複数箇所で貫通させて一対のスクリーン取付枠部１間に複数本張設することがある。この場合、各スクリーン張力部材１５は、スクリーン２のスクリーン取付枠部１への取付部において折り曲げ、さらに、スクリーン取付枠部１のスクリーン２の取付側に設けた折返部１６において折り返して、所定の張力が発生するようにしている。各スクリーン張力部材１５の一端は、スライドガイド枠部３の自由端３ａ付近に固定されている。
【００１１】
このようなスクリーン張力部材１５が配設されたスクリーン装置には、次のような不都合が見出された。
【００１２】
使用によりスクリーン２には汚れが生ずる。汚れは水や洗剤液を用いて拭き掃除することによりある程度まで落とすことができるが、拭き掃除によっても落とすことのできない汚れや破れなどが生じた場合には、スクリーン２の交換が必要となる。しかしながら、スクリーン２を取り外す際には、スクリーン張力部材１５の一端がスライドガイド枠部３の自由端３ａ付近に固定されているため、スライドガイド枠部３を一度スクリーン取付枠部１から完全に引き出さなければならない。また、新品のスクリーン２を取り付ける際には、スクリーン張力部材１５をスクリーン取付枠部１内において折返部１６に掛け回し、スライドガイド枠部３の自由端３ａ付近に固定するという配線作業を行わなければならない。このようなスライドガイド枠部３の引出しとスクリーン張力部材１５の配線とは、スクリーン装置の設置箇所において行えるものではないので、スクリーン装置全体を取り外し、組立工場に運び込んでスクリーン２の交換を行うしかなかった。このように、スクリーン２の交換は手間のかかるものとなっていた。
【００１３】
本発明は、以上の通りの事情に鑑みてなされたものであり、スクリーンの交換が容易で、スクリーン装置を取り外すことなく設置箇所においてスクリーンの交換が可能なスクリーン装置を提供することを課題としている。
【課題を解決するための手段】
【００１４】
本発明のスクリーン装置は、上記の課題を解決するために、以下のことを特徴としている。
【００１５】
第１に、対向配置された、少なくとも一方がスライド移動可能な一対のスクリーン取付枠部に、スクリーンが、両スクリーン取付枠部間に収縮および展開自在として取り付けられ、スクリーン取付枠部への取付側でないスクリーンの両端部付近にスライドガイド枠部が一対配設され、スライドガイド枠部は、対向配置された一対の側壁部とこれを相互に繋ぐ架橋部とを有する剛性ユニットが隣接間で回動自在に連設されて形成され、スライドガイド枠部は、屈曲性を有し、少なくとも一端が自由端とされてスクリーン取付枠部内に収納および引出可能とされる一方、スクリーン取付枠部のスライド移動にともなってスクリーン取付枠部内から引き出された時に、スライドガイド枠部の引き出された部分は直線性を保持し、かつ一対のスライドガイド枠部の自由端が、スクリーン取付枠部内に設けられた８の字状のループを形成するスライドガイド枠部張力部材により相互に連結され、スライドガイド枠部張力部材の折返点がスクリーン取付側と反対側に配置されているスクリーン装置において、スクリーンがスクリーン取付枠部から取外自在とされ、スクリーンを長さ方向に複数箇所で貫通するスクリーン張力部材のスクリーンから引き出された一端に第１のコネクタが配設され、スライドガイド枠部の自由端付近に一端が連結され、スクリーン取付側に引き出されたジャンプ部材の他端に第２のコネクタが配設され、第１のコネクタと第２のコネクタとは着脱自在であり、スライドガイド枠部がスクリーン取付枠部内から引き出された状態において、スクリーンの交換が可能となっている。
【００１６】
第２に、上記において、スクリーンのスクリーン取付枠部への取付部に第１の折返部が設けられ、スクリーン張力部材が第１の折返部に掛け回され、方向転換し、スクリーン取付枠部のスクリーン取付側に第２の折返部が設けられ、ジャンプ部材が第２の折返部に掛け回され、方向転換し、結合した第１および第２のコネクタが第１および第２の折返部間で移動可能となっている。
【００１７】
第３に、上記において、第１の折返部が一箇所に設けられ、複数本のスクリーン張力部材のすべてが第１の折返部に向かって折り曲げられ、第１の折返部に掛け回されている。
【００１８】
第４に、上記において、第１の折返部は、取付高さを調節自在とされてスクリーンのスクリーン取付枠部への取付部に固定され、スクリーンと一体となっている。
【発明の効果】
【００１９】
上記第１の発明によれば、スクリーンはスクリーン取付枠部に取外自在に取り付けられ、スクリーン張力部材の一端に配設された第１コネクタと、スライドガイド枠部の自由端付近に一端が連結され、スクリーン取付側に引き出されたジャンプ部材の他端に配設された第２のコネクタとが着脱自在であるため、スライドガイド枠部をスクリーン取付枠部からある程度引き出した状態においてスクリーンの交換が可能となる。スクリーンをスクリーン取付枠部から取り外し、第１コネクタと第２コネクタの結合を解除すれば、スクリーンを取り外すことができる。新品のスクリーンを取り付ける際には、第１コネクタと第２コネクタとを結合させ、スクリーンをスクリーン取付枠部に取り付けるだけでよい。スクリーンの交換は容易であり、スクリーン装置を取り外すことなく設置箇所においてスクリーンの交換が可能である。スクリーン装置のユーザーがスクリーンの交換を行うこともできる。
【００２０】
上記第２の発明によれば、上記の発明の効果に加え、スクリーンのスクリーン取付枠部への取付部に第１の折返部が設けられ、スクリーン張力部材が第１の折返部に掛け回され、方向転換し、スクリーン取付枠部のスクリーン取付側に第２の折返部が設けられ、ジャンプ部材が第２の折返部に掛け回され、方向転換しているので、スクリーンの取付けに際して複雑な配線が不要であり、交換作業はさらに容易となる。しかも、結合した第１および第２のコネクタが第１および第２の折返部間で移動可能となっているため、第１、第２のコネクタをそれぞれ第１、第２の折返部に通過させる必要がなく、スクリーン張力部材およびジャンプ部材がスクリーンの収縮および展開にともなってスムーズに移動する。
【００２１】
上記第３の発明によれば、上記の発明の効果に加え、第１の折返部が一箇所に設けられ、複数本のスクリーン張力部材のすべてが第１折返部に向かって折り曲げられ、第１の折返部に掛け回されているので、スクリーン張力部材の張設に関与しない部分のスクリーンを容易に切断することが可能となり、メンテナンス用として用意するスクリーンのサイズを減らすことができる。
【００２２】
上記第４の発明によれば、上記の発明の効果に加え、第１の折返部が取付高さを調節自在とされてスクリーンのスクリーン取付枠部への取付部に固定され、スクリーンと一体となっているので、スクリーンと同時に第１の折返部の交換が可能となる。第１の折返部がスクリーン下端部に配設される場合、砂泥などの影響で特に痛みやすいが、この場合に有効となる。
【発明を実施するための最良の形態】
【００２３】
図１は、本発明のスクリーン装置の一実施形態を示した分解斜視図である。図２は、図１に示した実施形態におけるスクリーン取付枠部とスクリーン取付枠部へのスクリーンの取付部とを示した要部断面図である。
【００２４】
本実施形態において図７〜図１１に示したスクリーン装置と共通する部分には同一の符号を付し、その説明を省略する。
【００２５】
スクリーン２は、複数のプリーツが付けられ、アコーディオン状に収縮および展開自在とされた布、ネット、シートなどから形成されたものである。スクリーン２には、上下および中央においてスクリーン２を長さ方向に貫通する３本のスクリーン張力部材１５が配設されている。スクリーン張力部材１５には、たとえば紐、ワイヤーなどの張力が発生し、スクリーン２を支持して自立性を確保し、面強度を高めることのできる適宜なものを採用することができる。本数は、スクリーン２の高さに応じて適宜に設定することができ、２本以上の複数とすることができる。
【００２６】
また、スクリーン２は、スクリーン取付枠部１に取外自在となっている。スクリーン２の左右両端部の取付部２ａの外側に、たとえば樹脂製などとすることができる取付板１７がスクリーン２に接着、貼着などにより固定されている。取付板１７の高さ方向の一端部には、図２に示したように、断面略コ字型形状を有する係合部１８が形成されている。係合部１８において対向する一方の係合片部１８ａには、外側から内側に向かって斜めに突出する爪１９が形成されている。また、取付板１７には、爪１９の裏面から表面さらに係合部１８の内部に沿って係合部１８の外まで延びる取外片２０が設けられている。取外片２０は、係合部１８と重なり合う部分において取付板１７に接着、貼着などにより固定されている。
【００２７】
スクリーン２をスクリーン取付枠部１に取り付ける際には、スクリーン取付枠部１の対向する一方の壁部の内壁面から内側に突設された対向する二条の係止片２１間に、取付板１７の平板状の一端部において取付部２ａを差し込み、次いで取付板１７を撓ませ、爪１９を、スクリーン取付枠部１の他方の壁部の内面から内側に突設された一条の係合片２２を乗り越えさせ、係合部１８の内部に係合片２２を係合させる。スクリーン２をスクリーン取付枠部１から取り外す際には、取外片１８をスクリーン２の長さ方向に引っ張ることにより、係合部１８周辺が撓み、爪１９が係合片２２を乗り越え、係合部１８と係合片２２との係合が解除される。この後、係止片２１に係止されていた取付板１７の平板状の一端部側の取付部２ａを引き抜く。
【００２８】
このように、スクリーン２は、スクリーン取付枠部１に取付けおよび取外しが自在であり、取付けおよび取外しは容易である。
【００２９】
スクリーン張力部材１５がスクリーン２の取付部２ａにおいて貫通する部分には、図２に示したように、円筒状のガイドピース２３が、取付板１７および取付板１７に固定されたスクリーン２の端部の表裏を貫通させて取り付けられている。スクリーン張力部材１５は、ガイドピース２３において３本とも図１に示したように下側に折り曲げられ、スクリーン２から引き出されている。ガイドピース２３は、スクリーン張力部材１５との摩擦ができる限り低減されるように、内面および内縁が滑らかな面に仕上げられている。ガイドピース２３も樹脂製とすることができる。
【００３０】
スクリーン２から引き出された３本のスクリーン張力部材１５は、取付部２ａの下端部に設けられた第１の折返部２４に掛け回され、下から上へと方向転換している。
【００３１】
図３は、図１に示した第１の折返部を拡大して示した斜視図である。
【００３２】
第１の折返部２４は固定片２５を備えている。固定片２５の左右両側からは、上端から中央にかけて対向する一対の支持片２６が延設されている。支持片２６より下側の固定片２５にはねじ孔２７が形成されている。両支持片２６間にはローラー２８が軸支され、ローラー２８は回転自在とされている。ローラー２８と固定片２５との間にはスクリーン張力部材１５を挿通することのできる間隔があけられている。
【００３３】
このような第１の折返部２４は、図１に示したように、スクリーン２の取付部２ａに固定された取付板１７に固定片２５を当接させ、支持片２６が外側に向かうように配置され、取付板１７の裏側からねじ孔２７に向けてねじ２９を螺着させて固定されている。取付部２ａには、下端部に長穴３０がスクリーン２の高さ方向に形成されており、第１の折返部２４の取付高さが調節自在とされている。ねじ止めによって第１の折返部２４はスクリーン２と一体となっている。
【００３４】
３本のスクリーン張力部材１５は、第１の折返部２４において、固定片２５とローラー２８との間に挿通され、ローラー２８の外周に掛け回され、下から上へと方向転換している。そして、図１に示したように、３本のスクリーン部材１５の先端は、一まとめにされ、第１のコネクタ３１が配設されている。
【００３５】
一方、スクリーン取付枠部１の内部には、図４に示したように、８の字状のループを形成するスライドガイド枠部張力部材１３により相互に連結された一対のスライドガイド枠部３の内の上側のスライドガイド枠部３の自由端３ａ付近にジャンプ部材３２が連結されている。一端がスライドガイド枠部３の自由端３ａ付近に連結され、他端はスクリーン２の取付側に引き出されている。ジャンプ部材３２は、たとえば紐、リボン、ワイヤーなどの線材とすることができ、材質は特に制限されない。
【００３６】
また、スクリーン取付枠部１の内部には、スクリーン２の取付側の上部に第２の折返部３３が設けられ、ジャンプ部材３２は、第２の折返部３３に掛け回され、上から下へ方向転換し、先端に第２のコネクタ３４が配設されている。第２のコネクタ３４は第１のコネクタ３１と着脱自在となっている。したがって、スクリーン張力部材１５は、第１のコネクタ３１と第２のコネクタ３４との着脱によりスライドガイド枠部３にジャンプ部材３２を介して連結および解除が可能になっており、連結および解除は容易である。結合した第１のコネクタ３１および第２のコネクタ３４は第１の折返部２４と第２の折返部３３との間に位置し、両折返部２４、３３間での移動が自在となっている。
【００３７】
図５は、図１に示した第１のコネクタおよび第２のコネクタを拡大して示した斜視図である。
【００３８】
第１のコネクタ３１は、略円筒形状を有する係合体３５を備えている。嵌合体３５の上部中央部から内部中央部にかけて凹部３６が形成されている。凹部３６の底面からは嵌合体３５を貫通する貫通孔３７が形成され、スクリーン張力部材１５を貫通孔３７を通じて凹部３６に通し、玉結び３７を作り、スクリーン張力部材１５の先端に第１のコネクタ３１を配設している。
【００３９】
第２のコネクタ３４は、板状の本体３８を備えている。本体３８の上端部には、本体３８の表裏を貫通する貫通孔３９が形成され、貫通孔３９にジャンプ部材３２が裏側より表側に向かって通され、玉結び４０によってジャンプ部材３２の先端に第２のコネクタ３４が配設されている。本体３９の下端部には、第１のコネクタ３１の係合体３５の外径と略同一またはやや小さめの内径を有する円形状の嵌合孔４１が形成され、嵌合孔４１の下端から本体３８の下端まで切欠４２が形成されている。
【００４０】
これらの第１のコネクタ３１および第２のコネクタ３４は、ともにたとえば樹脂製とすることができる。第１のコネクタ３１と第２のコネクタ３４を結合させる際には、嵌合体３５を嵌合孔４１に圧入する。切欠４２の間隔が広がり、それにつれて嵌合孔４１が外側に向かって変形し、嵌合体３５が嵌合孔４１に嵌合する。第１のコネクタ３１と第２のコネクタ３４はワンタッチ式に、しかもしっかりと結合する。結合を解除する際には、嵌合体３５を嵌合孔４１から押し出す。容易に結合は解除される。
【００４１】
以上のスクリーン装置では、スクリーン２はスクリーン取付枠部１に取外自在に取り付けられ、スクリーン張力部材１５の一端に配設された第１コネクタと３１、スライドガイド枠部３の自由端３ａ付近に一端が連結され、スクリーン２の取付側に引き出されたジャンプ部材３２の他端に配設された第２のコネクタ３４とが着脱自在であるため、スライドガイド枠部３をスクリーン取付枠部１からある程度引き出した状態においてスクリーン２の交換が可能となる。スクリーン２をスクリーン取付枠部１から取り外し、第１コネクタ３１と第２コネクタ３４の結合を解除すれば、スクリーン２を取り外すことができる。新品のスクリーン２を取り付ける際には、第１コネクタ３１と第２コネクタ３４とを結合させ、スクリーン２をスクリーン取付枠部１に取り付けるだけでよい。スクリーン２の交換は容易であり、スクリーン装置を取り外すことなく設置箇所においてスクリーン２の交換が可能である。スクリーン装置のユーザーがスクリーン２の交換を行うこともできる。
【００４２】
また、スクリーン２のスクリーン取付枠部１への取付部２ａに第１の折返部２４が設けられ、スクリーン張力部材１５が第１の折返部２４に掛け回され、方向転換し、スクリーン取付枠部１のスクリーン２の取付側に第２の折返部３３が設けられ、ジャンプ部材３２が第２の折返部３３に掛け回され、方向転換しているので、スクリーン２の取付けに際して複雑な配線が不要であり、交換作業はさらに容易となる。しかも、結合した第１のコネクタ３１および第２のコネクタ３４が第１の折返部２４と第２の折返部３３との間で移動可能となっているため、第１のコネクタ３１、第２のコネクタ３４をそれぞれ第１の折返部２４、第２の折返部３３に通過させる必要がなく、スクリーン張力部材１５およびジャンプ部材３２がスクリーン２の収縮および展開にともなってスムーズに移動する。
【００４３】
さらに、第１の折返部２４が、スクリーン２の取付部２ａの下端部の一箇所に設けられ、３本のスクリーン張力部材１５のすべてが第１折返部２４に向かって折り曲げられ、第１の折返部２４に掛け回されているので、スクリーン張力部材１５の張設に関与しない部分のスクリーン２を容易に切断することが可能となり、メンテナンス用として用意するスクリーン２のサイズを減らすことができる。
【００４４】
さらにまた、第１の折返部２４が取付高さを調節自在とされてスクリーン２の取付部２ａに固定され、スクリーン２と一体となっているので、スクリーン２と同時に第１の折返部２４の交換が可能となる。第１の折返部２４がスクリーン２の下端部に配設されていると、砂泥などの影響で特に痛みやすいが、第１の折返部２４の交換も行える。
【００４５】
図６＜ａ＞＜ｂ＞＜ｃ＞は、それぞれ、本発明のスクリーン装置の別の実施形態を概略的に示した要部断面図である。
【００４６】
本実施形態において図４に示した実施形態と共通する部分には同一の符号を付し、その説明を省略する。
【００４７】
図６＜ａ＞に示したスクリーン装置では、第１の折返部２４がスクリーン２の取付部２ａの上端部に設けられ、第１の折返部２４のローラー２８の外周に掛けまわされるスクリーン張力部材１５が上から下へと方向転換し、また、スクリーン取付枠部１の内部において、下側のスライドガイド枠部３の自由端３ａ付近にジャンプ部材３２の一端が連結され、スクリーン２の取付側の下端部に第２の折返部３３が設けられ、ジャンプ部材３２が下から上へ方向転換している点において、図４に示した実施形態と異なっている。だが、図６＜ａ＞に示したスクリーン装置も図４に示したスクリーン装置と同様の効果を奏する。
【００４８】
図６＜ｂ＞に示したスクリーン装置では、スクリーン張力部材１５を３本まとめずに、それぞれの先端に第１のコネクタ３１が設けられ、ジャンプ部材３２もスクリーン張力部材１５と同数の３本設けられ、それぞれの先端に第２のコネクタ３４が設けられ、第１のコネクタ３１と第２のコネクタ３４との着脱が個別に行われるようにしている。第１のコネクタ３１と第２のコネクタ３４との着脱に若干の手間がかかるが、それ以外を除くと、図６＜ｂ＞に示したスクリーン装置も図４に示したスクリーン装置と同様な効果を奏する。
【００４９】
図６＜ｃ＞に示したスクリーン装置では、スクリーン２の取付部２ａに第１の折返部２４が設けられず、スクリーン取付枠部１の内部のスクリーン２の取付側の上下に第３の折返部４３が設けられ、スクリーン２を上部および中央部を貫通する２本のスクリーン張力部材１５が上側の第３の折返部４３に掛け回され、上から下へ方向転換し、２本一まとめにして先端に第１のコネクタ３１が設けられている。スクリーン２の下部を貫通する１本のスクリーン張力部材１５は、下側の第３の折返部４３に掛け回され、下から上へ方向転換し、先端に第１のコネクタ３１が設けられている。
【００５０】
また、スクリーン取付枠部１の内部のスクリーン２の取付側の上下に第２の折返部３３が設けられ、上側のスライドガイド枠部３の自由端３ａに一端が連結されたジャンプ部材３２が上側の第２の折返部３３に掛け回され、上から下へ方向転換し、先端に第２のコネクタ３４が配設されている。下側のスライドガイド枠部３の自由端３ａに一端が連結されたジャンプ部材３２は下側の第２の折返部３３に掛け回され、下から上へ方向転換し、先端に第２のコネクタ３４が配設されている。
【００５１】
図６＜ｃ＞に示したスクリーン装置では、スクリーン２の交換に際して、第１のコネクタ３１と第２のコネクタ３４の着脱を２箇所で行うとともに、スクリーン張力部材１５を第３の折返部４３に掛け回し、配線したり、第３の折返部４３から外したりするという作業が必要となるが、スライドガイド枠部３をスクリーン取付枠部１からある程度引き出した状態において、スクリーン２の交換が可能となる。スクリーン装置を取り外すことなく設置箇所においてスクリーン２の交換が可能である。また、結合した第１のコネクタ３１および第２のコネクタ３４が第１の折返部２４と第２の折返部３３との間で移動可能となっているため、第１のコネクタ３１、第２のコネクタ３４をそれぞれ第１の折返部２４、第２の折返部３３に通過させる必要がなく、スクリーン張力部材１５およびジャンプ部材３２がスクリーン２の収縮および展開にともなってスムーズに移動する。
【００５２】
なお、以上の実施形態は、横引式のスクリーン装置であるが、本発明のスクリーン装置は縦引式のものであってもよく、その場合、横引式のスクリーン装置とまったく同様に構成することができる。
【図面の簡単な説明】
【００５３】
【図１】本発明のスクリーン装置の一実施形態を示した分解斜視図である。
【図２】図１に示した実施形態におけるスクリーン取付枠部とスクリーン取付枠部へのスクリーンの取付部とを示した要部断面図である。
【図３】図１に示した第１の折返部を拡大して示した斜視図である。
【図４】図１に示した実施形態におけるスクリーン取付枠部とスクリーン取付枠部へのスクリーンの取付部とを示した概略構成図である。
【図５】図１に示した第１のコネクタおよび第２のコネクタを拡大して示した斜視図である。
【図６】＜ａ＞＜ｂ＞＜ｃ＞は、それぞれ、本発明のスクリーン装置の別の実施形態を概略的に示した要部断面図である。
【図７】本出願人が提供しているスクリーン装置を示した側面図である。
【図８】図７に示したスクリーン装置の要部断面図である。
【図９】＜ａ＞＜ｂ＞＜ｃ＞＜ｄ＞は、それぞれ、図７および図８に示したスクリーン装置のスライドガイド枠部を形成する剛性ユニットを例示した正面図、側面図、底面図、およびＡ−Ａ断面図である。
【図１０】本出願人が提供しているスクリーン装置の要部を概略的に示した断面図である。
【図１１】図１０に示したスクリーン装置においてスクリーン張力部材が張設される場合について示した要部断面図である。
【符号の説明】
【００５４】
１  スクリーン取付枠部
２  スクリーン
２ａ  取付部
３  スライドガイド枠部
３ａ  自由端
４  剛性ユニット
５  側壁部
６  架橋部
１３  スライドガイド枠部張力部材
１４  折返点
１５  スクリーン張力部材
２４  第１の折返部
３１  第１のコネクタ
３２  ジャンプ部材
３３  第２の折返部
３４  第２のコネクタ
【図２】
2008002212.tif 000003
【図３】
2008002212.tif 000004
【図４】
2008002212.tif 000005
【図５】
2008002212.tif 000006
【図７】
2008002212.tif 000007
【図８】
2008002212.tif 000008
【図９】
2008002212.tif 000009
【図１０】
2008002212.tif 000010
【図１１】
2008002212.tif 000011
【図１】
2008002212.tif 000012
【図６】
2008002212.tif 000013